(57)【特許請求の範囲】
【請求項１】
複数のパネルユニットと、架設材とを備え、各パネルユニットは、左右方向又は上下方向の一方の方向の両側に縁部材を取付けてあり、少なくとも一つのパネルユニットは、複数の単位パネルを他方の方向に配置してあり、縁部材は係合部を有し、パネルユニット同士が、縁部材の係合部同士を係合して一方の方向に連結してあり、架設材は、複数のパネルユニットに跨って配置され、パネルユニットを固定してあることを特徴とするパネル体。
【請求項２】
複数のパネルユニットと、架設材とを備え、一のパネルユニットは、左右方向又は上下方向の一方の方向向きに配置した複数の単位パネルを他方の方向に配置してあり、他の一のパネルユニットは、他方の方向向きに配置した複数の単位パネルを一方の方向に配置してあると共に、他方の方向の両側に縁部材が全長にわたって取付けてあり、縁部材を直接又は連結材を介して一のパネルユニットと係合してあり、架設材は、両パネルユニットに跨って配置され、両パネルユニットを固定してあることを特徴とするパネル体。
【発明の詳細な説明】
【技術分野】
【０００１】
本発明は、門扉等に用いられるパネル体に関する。
【背景技術】
【０００２】
門扉に用いられるパネル体として、従来よりアルミ形材を用いたものがあった。かかる従来のパネル体は、縦向きで配置した複数の形材を横方向に連結したもの、横向きで配置した複数の形材を縦方向に連結したものの２種類しかなく（例えば、非特許文献１参照）、デザインに変化がなかった。
【先行技術文献】
【特許文献】
【０００３】
【非特許文献１】三協立山株式会社 三協アルミ社発行のカタログ「エクステリア 総合カタログ」（カタログＮｏ．ＳＴＸ０８１０Ａ ＴＳ．１４．０４−２４００）、２０１４年４月、ｐ．３３７−３４４
【発明の概要】
【発明が解決しようとする課題】
【０００４】
本発明は以上に述べた実情に鑑み、斬新且つ多様なデザインのパネル体の提供を目的とする。
【課題を解決するための手段】
【０００５】
上記の課題を達成するために請求項１記載の発明によるパネル体は、複数のパネルユニットと、架設材とを備え、各パネルユニットは、左右方向又は上下方向の一方の方向の両側に縁部材を取付けてあり、少なくとも一つのパネルユニットは、複数の単位パネルを他方の方向に配置してあり、縁部材は係合部を有し、パネルユニット同士が、縁部材の係合部同士を係合して一方の方向に連結してあり、架設材は、複数のパネルユニットに跨って配置され、パネルユニットを固定してあることを特徴とする。
【０００６】
請求項２記載の発明によるパネル体は、複数のパネルユニットと、架設材とを備え、一のパネルユニットは、左右方向又は上下方向の一方の方向向きに配置した複数の単位パネルを他方の方向に配置してあり、他の一のパネルユニットは、他方の方向向きに配置した複数の単位パネルを一方の方向に配置してあると共に、他方の方向の両側に縁部材が全長にわたって取付けてあり、縁部材を直接又は連結材を介して一のパネルユニットと係合してあり、架設材は、両パネルユニットに跨って配置され、両パネルユニットを固定してあることを特徴とする。
【発明の効果】
【０００７】
請求項１記載の発明によるパネル体は、複数のパネルユニットで構成され、パネルユニットごとに幅を変えたり、単位パネルの見付け寸法や見付面の形状を変えたり、単位パネルの配置数を変えたりすることができ、これにより斬新且つ多様なパネル体を提供することができる。各パネルユニットは両側に縁部材を有し、縁部材の係合部同士を係合することでパネルユニット同士を簡単に連結でき、さらに架設材を複数のパネルユニットに跨って配置し、パネルユニットを固定することで、パネル体を容易に組み立てでき、且つ縦横を組み合わせた様々なデザインのパネル体を提供できる。
【０００８】
請求項２記載の発明によるパネル体は、単位パネル体の向き及び並び方向の異なる一のパネルユニットと他の一のパネルユニットとを連結することで、斬新且つ多様なパネル体を提供することができる。他の一のパネルユニットの両側に縁部材が全長にわたって取付けてあり、縁部材を直接又は連結材を介して一のパネルユニットと係合することで、両パネルユニットを簡単に連結でき、さらに架設材を両パネルユニットに跨って配置し、両パネルユニットを固定することで、パネル体を容易に組み立てでき、且つ縦横を組み合わせた様々なデザインのパネル体を提供できる。
【図面の簡単な説明】
【０００９】
【図１】本発明のパネル体を使用した門扉の第１実施形態を示す正面図である。
【図２】図１のＡ−Ａ断面図である。
【図３】図１のＢ−Ｂ断面図である。
【図４】第１実施形態のパネル体の変形例を示す横断面図である。
【図５】本発明のパネル体を使用した門扉の第２実施形態を示す正面図である。
【図６】図５のＣ−Ｃ断面図である。
【図７】図５のＤ−Ｄ断面図である。
【図８】本発明のパネル体を使用した門扉の第３実施形態を示す正面図である。
【図９】図５のＥ−Ｅ断面図である。
【図１０】図５のＦ−Ｆ断面図である。
【図１１】本発明のパネル体を使用した門扉の第４実施形態を示す正面図である。
【図１２】本発明のパネル体を使用した門扉の第５実施形態を示す正面図である。
【図１３】（ａ）は図１２のＧ−Ｇ断面図であり、（ｂ）は図１２のＨ−Ｈ断面図である。
【図１４】図１２のＩ−Ｉ断面図である。
【図１５】本発明のパネル体を使用した門扉の第６実施形態を示す正面図である。
【図１６】本発明のパネル体を使用した門扉の第７実施形態を示す正面図である。
【図１７】図１６のＪ−Ｊ断面図である。
【図１８】本発明のパネル体を使用した門扉の第８実施形態を示す正面図である。
【発明を実施するための形態】
【００１０】
以下、本発明の実施の形態を図面に基づいて説明する。図１〜３は、本発明のパネル体１を使用した門扉の第１実施形態を示している。この門扉は、図１に示すように、左右一対のパネル体１，１を門柱２，２に蝶番３で取付け、観音開き状に開閉できるようにしたものである。各パネル体１は、縦長の３つのパネルユニット４ａ，４ｂ，４ｃを左右方向に連結して構成されている。吊元側のパネルユニット４ａと中間のパネルユニット４ｂは同じ幅になっており、戸先側のパネルユニット４ｃはそれらの約２倍の幅になっている。
【００１１】
吊元側のパネルユニット４ａは、図２に示すように、押出方向が左右方向の複数種類の単位パネル５，５，…を上下方向に並べて配置してあり、単位パネル５，５，…同士のつなぎ目にあたる部分に横目地６と横すじ７が表れている。上下に隣接する単位パネル５，５，…間には、係合連結している部分（図２中のＸ部）と、係合連結することなく単に上下に並べて配置した部分（図２中のＹ部）とがある。係合連結していない箇所では、一方の単位パネル５に隙間隠しのための突起８を設け、単位パネル５，５間の隙間から反対側の景色が見えるのを防いでいる。各単位パネル５には、タッピングホール９が設けてある。パネルユニット４ａの左右両側には、図３に示すように、縁部材１０ａ，１０ｂがパネル体１の上下方向の全長にわたって配置され、側方からネジ１１を各単位パネル５，５，…のタッピングホール９に捩じ込むことで、両縁部材１０ａ，１０ｂと各単位パネル５，５，…とが固定されて一体化されている。パネル体１の左右方向の中間部に位置する縁部材１０ｂには、係合部１２が設けてある。
【００１２】
中間のパネルユニット４ｂも、吊元側のパネルユニット４ａと同様に、押出方向が左右方向の複数種類の単位パネル５，５，…を上下方向に並べて配置し、左右両側に縁部材１０ｂ，１０ｂを取付けて構成してある。戸先側のパネルユニット４ｃも、吊元側及び中間のパネルユニット４ａ，４ｂと同様に、押出方向が左右方向の複数種類の単位パネル５，５，…を上下方向に並べて配置し、左右両側に縁部材１０ｂ，１０ｃを取付けて構成してある。３つのパネルユニット４ａ，４ｂ，４ｃは、単位パネル５，５，…の並べ方や配置数を違わせることで、図１に示すように、表面に表れる意匠を異ならせている。
【００１３】
３つのパネルユニット４ａ，４ｂ，４ｃは、図３に示すように、縁部材１０ｂの係合部１２同士を係合して左右方向に連結してある。左右に隣接するパネルユニット４ａ，４ｂ，４ｃ間には、縁部材１０ｂ同士が合わさって縦すじ１３が形成されている。
パネル体１の上端部と下端部には、図１，２に示すように、架設材１４が３つのパネル体４ａ，４ｂ，４ｃに跨って配置され、架設材１４に各パネルユニット４ａ，４ｂ，４ｃが上下方向からのネジ１５で固定され、架設材１４の左右両端部が吊元側端部と戸先側端部の縁部材１０ａ，１０ｃに左右方向からのネジ１６で固定されている。また、パネル体１の上下方向中間部にも、架設材１７が３つのパネル体４ａ，４ｂ，４ｃを貫通して配置され、架設材１７の左右両端部が吊元側端部と戸先側端部の縁部材１０ａ，１０ｃに左右方向からのネジ１６で固定されている。このように架設材１４，１７を設けることで、３つのパネルユニット４ａ，４ｂ，４ｃが上下方向や見込み方向にずれないように固定される。
【００１４】
次に、本パネル体１の組立手順を説明する。まず、単位パネル５，５，…と縁部材１０ａ，１０ｂ，１０ｃとで各パネルユニット４ａ，４ｂ，４ｃをそれぞれ組み立てる。次に、組み立てた３つのパネルユニット４ａ，４ｂ，４ｃを、縁部材１０ｂの係合部１２で係合させて左右方向に連結する。その後、連結した３つのパネルユニット４ａ，４ｂ，４ｃに跨って架設材１４，１７を取付け、３つのパネルユニット４ａ，４ｂ，４ｃを固定する。
【００１５】
以上に述べたように本パネル体１は、複数のパネルユニット４ａ，４ｂ，４ｃで構成され、パネルユニット４ａ，４ｂ，４ｃごとに幅を変えたり、単位パネル５の見付け寸法や見付面の形状を変えたり、単位パネル５の配置数を変えたりすることができ、これにより斬新且つ多様なパネル体１を提供することができる。各パネルユニット４ａ，４ｂ，４ｃは両側に縁部材１０ａ，１０ｂ，１０ｃを有し、縁部材１０ｂの係合部１２同士を係合することでパネルユニット４ａ，４ｂ，４ｃ同士を簡単に連結でき、さらに架設材１４，１７を複数のパネルユニット４ａ，４ｂ，４ｃに跨って配置し、パネルユニット４ａ，４ｂ，４ｃを固定することで、パネル体１を容易に組み立てでき、且つ縦横を組み合わせた様々なデザインのパネル体を提供できる。
【００１６】
図４は、第１実施形態のパネル体１の変形例を示している。本実施例は、架設材１４，１７が左右に隣接する２つのパネルユニット４ａと４ｂ，４ｂと４ｃ同士を繋ぐ短いものとしている点が、先に説明したものと異なる。
【００１７】
図５〜７は、本発明のパネル体１を使用した門扉の第２実施形態を示している。この門扉のパネル体１は、図５に示すように、左右２つのパネルユニット４ａ，４ｂを連結して構成されている。吊元側のパネルユニット４ａは、図６，７に示すように、押出方向が左右方向の複数種類の単位パネル５，５，…を上下方向に並べて配置し、左右両側に縁部材１０ａ，１０ｂを取付けて構成してある。吊元側のパネルユニット４ａは、上下方向の中間部に横すじ７が形成されている。戸先側のパネルユニット４ｂは、単一の単位パネル、若しくは複数の単位パネル５，５，…を上下方向に並べて配置し、左右両側に縁部材１０ｂ，１０ｃを取付けて構成してある。戸先側のパネルユニット４ｂには、横すじ７を有していない。
両パネルユニット４ａ，４ｂは、図７に示すように、縁部材１０ｂの係合部１２を係合させて左右方向に連結され、上下端部と中間部とに架設材１４，１７を跨って配置し、架設材１４，１７に両パネルユニット４ａ，４ｂを固定して一体化されている。両パネルユニット４ａ，４ｂ間には、縦すじ１３がパネル体１の上下方向の全長にわたって形成されている。
【００１８】
図８〜１０は、本発明のパネル体１を使用した門扉の第３実施形態を示している。この門扉のパネル体１は、図８に示すように、上下２つのパネルユニット４ａ，４ｂを連結して構成されている。下側のパネルユニット４ｂは、図９，１０に示すように、押出方向が上下方向の複数種類の単位パネル５，５，…を左右方向に並べて配置し、上下両側に縁部材１０ｂ，１０ｃを取付けて構成してある。下側のパネルユニット４ｂは、左右方向の中間部に縦すじ１３が形成されている。上側のパネルユニット４ａは、単一の単位パネル、若しくは複数の単位パネル５，５，…を左右方向に並べて配置し、上下両側に縁部材１０ａ，１０ｂを取付けて構成してある。上側のパネルユニット４ａには、縦すじ１３を有していない。
両パネルユニット４ａ，４ｂは、縁部材１０ｂの係合部１２を係合させて上下方向に連結され、左右端部と中間部とに架設材１４，１７を跨って配置し、架設材１４，１７に両パネルユニット４ａ，４ｂを固定して一体化されている。両パネルユニット４ａ，４ｂ間には、横すじ７がパネル体１の左右方向の全長にわたって形成されている。
【００１９】
以上に説明した第２，３実施形態のように、本発明によれば、縦すじ１３と横すじ７を適宜配置してパネル体１を縦横に複数の領域に分割し、縦横を組み合わせた様々なデザインのパネル体１を容易に製作できる。
【００２０】
図１１は、本発明のパネル体１を使用した門扉の第４実施形態を示している。図中のハッチングした領域は、空間部１８を示している。この門扉のパネル体１は、第１実施形態と同様に左右方向に３つのパネルユニット４ａ，４ｂ，４ｃを連結して構成され、吊元側のパネルユニット４ａと中間部のパネルユニット４ｂには、単位パネル５を一部抜く（配置しない）ことで空間部１８を形成している。
このように本発明の構成によれば、パネル体１中の任意の位置に空間部１８を適宜設け、デザインに変化を持たせられる。
【００２１】
図１２〜１４は、本発明のパネル体１を使用した門扉の第５実施形態を示している。図中のハッチングした領域は、空間部１８を示している。この門扉のパネル体１は、図１２に示すように、吊元側に２つの横張りパネルユニット１９ａ，１９ｂを左右に連結して備え、戸先側に一つの横張りパネルユニット１９ｃを備え、左右方向の中間部に縦張りユニット２０を備え、横張りパネルユニット１９ａ，１９ｂ，１９ｃと縦張りパネルユニット２０を左右方向に連結して構成したものである。
【００２２】
吊元側の２つの横張りパネルユニット１９ａ，１９ｂは、図１３（ａ）と図１４に示すように、押出方向が左右方向の複数種類の単位パネル５，５，…を上下方向に並べて配置し、左右両側に縁部材１０ａ，１０ｂを取付けて構成してある。２つの横張りパネルユニット１９ａ，１９ｂは、図１４に示すように、縁部材１０ｂと係合する連結材２１を介して連結されている。連結材２１は、縁部材１０ｂと係合する一対の係合部材２２，２２の上下端部をブロック状の繋ぎ材２３で連結したもので、縦長スリット状の空間部１８を有している。
戸先側の横張りパネルユニット１９ｃは、押出方向が左右方向の複数種類の単位パネル５，５，…を上下方向に並べて配置し、左右両側に縁部材１０ｂ，１０ｃを取付けて構成してある。
縦張りパネルユニット２０は、図１４に示すように、押出方向が上下方向の複数の単位パネル２４，２４，…を左右方向に並べて配置してある。隣接する単位パネル２４，２４は、端部同士を係合させて（図中のＸ部）連結してある。縦張りパネルユニット２０は、左右両端部を横張りパネルユニット１９ｂ，１９ｃの縁部材１０ｂと直接係合しており（図中のＺ部）、これにより横張りパネルユニッ１９ｂ，１９ｃと縦張りパネルユニット２０とが連結されている。
【００２３】
本パネル体１は、図１３，１４に示すように、吊元側の横張りパネルユニット１９ａ，１９ｂと縦張りパネルユニット２０と戸先側の横張りパネルユニット１９ｃとに跨って架設材１４，１７を取付けることで、各パネルユニット１９ａ，１９ｂ，１９ｃ，２０を固定している。
本パネル体１の組立手順は、横張りパネルユニット１９ａ，１９ｂ，１９ｃと縦張りパネルユニット２０をそれぞれ組み立てておき、それら複数のパネルユニット１９ａ，１９ｂ，１９ｃ，２０を左右方向に係合連結し、その後に複数のパネルユニット１９ａ，１９ｂ，１９ｃ，２０に跨って架設材１４，１７を取付けて、各パネルユニット１９ａ，１９ｂ，１９ｃ，２０を固定して一体化するものである。
【００２４】
図１５は、本発明のパネル体１を使用した門扉の第６実施形態を示している。図中のハッチングした領域は、空間部１８を示している。この門扉のパネル体１は、第５実施形態と同様に、横張りパネルユニット１９ａ，１９ｂと縦張りパネルユニット２０を連結して構成され、横張りパネルユニット１９ｂには、単位パネル５を一部抜く（配置しない）ことで空間部１８を形成している。
【００２５】
図１６〜１７は、本発明のパネル体１を使用した門扉の第７実施形態を示している。図中のハッチングした領域は、空間部１８を示している。この門扉のパネル体１は、第５実施形態と同様に、横張りパネルユニット１９と縦張りパネルユニット２０を連結して構成したものであるが、図１７に示すように、縦張りパネルユニット２０の端部を横張りパネルユニット１９と直接係合するのではなく、連結材２５を介して係合している点が異なる。連結材２５は、横張りパネルユニット１９の縁部材１０ｂ及び縦張りパネルユニット２０の端部と係合する一対の係合部材２６，２６の上下端部を、ブロック状の繋ぎ材２７で連結したもので、縦長スリット状の空間部１８を有している。
【００２６】
図１８は、本発明のパネル体１を使用した門扉の第８実施形態を示している。このパネル体１は、横張りパネルユニット３０と縦張りパネルユニット３１とを上下に連結したものである。横張りパネルユニット３０は、押出方向が左右方向の複数の単位パネル５，５，…を上下方向に並べて配置して構成してある。縦張りパネルユニット３１は、押出方向が上下方向の複数の単位パネル２４，２４，…を左右方向に並べて配置し、上下両側に縁部材１０，１０ｂを取付けている。そして、縁部材１０ｂの係合部１２を横張りパネルユニット３０の単位パネル５に直接係合することで、両パネルユニット３０，３１を連結している。
【００２７】
以上に述べたように第５〜８実施形態のパネル体１は、縦張りパネルユニット２０，３１と横張りパネルユニット１９，１９ａ，１９ｂ，１９ｃ，３０とを連結することで、斬新且つ多様なパネル体を提供することができる。横張りパネルユニット１９，１９ａ，１９ｂ，１９ｃ又は縦張りパネルユニット３１の両側に縁部材１０ａ，１０ｂ，１０ｃが全長にわたって取付けてあり、縦張りパネルユニット２０，３１と横張りパネルユニット１９，１９ａ，１９ｂ，１９ｃ，３０とを直接又は連結材２５を介して係合することで、縦張りパネルユニット２０，３１と横張りパネルユニット１９，１９ａ，１９ｂ，１９ｃ，３０を簡単に連結でき、さらに架設材１４，１７を両パネルユニット１９，１９ａ，１９ｂ，１９ｃ，２０，３０，３１に跨って配置し、両パネルユニット１９，１９ａ，１９ｂ，１９ｃ，２０，３０，３１を固定することで、パネル体１を容易に組み立てでき、且つ縦横を組み合わせた様々なデザインのパネル体を提供できる。さらに、パネルユニット１９，１９ａ，１９ｂ，１９ｃ，２０，３０，３１中の単位パネル５又は２４を一部抜くことで空間部１８を適宜形成したり、連結材２５をデザインの異なるものに交換したりすることで、デザインのバリエーションをさらに広げることができる。
【００２８】
本発明は以上に述べた実施形態に限定されない。一つのパネル体には、少なくとも二つのパネルユニットを有していればよく、パネルユニットは横張りパネルユニットと縦張りパネユニット、あるいは単一のパネルで構成したものの何れであってもよい。各パネユニットにおける単位パネルの配置数は任意であり、単一の単位パネルで構成することもできる。単位パネルや縁部材等の断面形状、材質等は、適宜変更することができる。架設材は、パネル体の上下又は左右端部のみに設けたり、パネル体の内部のみに設けることもできる。本発明のパネル体は、門扉に限らず、建物の出入口用の扉や、間仕切り等、幅広い用途に用いることができる。
【符号の説明】
【００２９】
１  パネル体
４ａ，４ｂ，４ｃ  パネルユニット
５  単位パネル
１０ａ，１０ｂ，１０ｃ  縁部材
１２  係合部
１４，１７  架設材
１９，１９ａ，１９ｂ，１９ｃ  横張りパネルユニット（他の一のパネルユニット）
２０  縦張りパネルユニット（一のパネルユニット）
２４  単位パネル
２５  連結材
３０  横張りパネルユニット（一のパネルユニット）
３１  縦張りパネルユニット（他の一のパネルユニット）
【図１】
0006335817.tif 000002
【図２】
0006335817.tif 000003
【図３】
0006335817.tif 000004
【図４】
0006335817.tif 000005
【図５】
0006335817.tif 000006
【図６】
0006335817.tif 000007
【図７】
0006335817.tif 000008
【図８】
0006335817.tif 000009
【図９】
0006335817.tif 000010
【図１０】
0006335817.tif 000011
【図１１】
0006335817.tif 000012
【図１２】
0006335817.tif 000013
【図１３】
0006335817.tif 000014
【図１４】
0006335817.tif 000015
【図１５】
0006335817.tif 000016
【図１６】
0006335817.tif 000017
【図１７】
0006335817.tif 000018
【図１８】
0006335817.tif 000019